(57)【要約】【課題】本発明は、目印を長い直線状とすることを可能とし、目印同士を線で連結する作業を容易にすると共に、位置精度の高い墨付けを行えるようにした受光器の墨付け位置指示手段を提供するものである。【解決手段】受光器１０の裏側ハウジング１４の裏面２４に、直線部３０を有する定規３２を摺動自在に取付ける。墨入れ作業を行う際に、定規３２を裏側ハウジング１４の側面２６より外方に突出させ、適正位置にレーザー光が照射された場合に、定規３２の直線部３０に沿って直線状の目印を入れる。【選択図】図２
2007278782.tif 000002
【特許請求の範囲】
【請求項１】
ハウジングとレーザー光が照射される位置を表示する複数の発光手段とを有する受光器において、直線部を有する定規を前記ハウジングの裏面に摺動自在に取付け、前記定規を前記ハウジングの側面より外方に突出可能としたことを特徴とする受光器の墨付け用位置指示手段。
【請求項２】
前記ハウジングの裏面に前記定規を２個取り付け、１個の前記定規がハウジングの一方の側面から外方に突出可能とし、もう１個の前記定規がハウジングの他方の側面から外方に突出可能としたことを特徴とする請求項１記載の受光器の墨付け用位置指示手段。
【請求項３】
前記ハウジングの裏面に前記定規を１個取り付け、前記１個の定規がハウジングのどちらの側面からも外方に突出可能としたことを特徴とする請求項１記載の受光器の墨付け用位置指示手段。
【請求項４】
前記ハウジングと前記定規とに、前記ハウジングに対する前記定規の摺動移動長さを規制するためのストッパを有することを特徴とする請求項２または３記載の受光器の墨付け用位置指示手段。
【請求項５】
ハウジングとレーザー光が照射される位置を表示する複数の発光手段とを有する受光器において、前記ハウジングの裏面に両方の側面に至る貫通溝を形成し、前記貫通溝に着脱自在に嵌合するものであって前記ハウジングとは別体の定規を備え、前記貫通溝に前記定規を嵌合させた状態で前記ハウジングの少なくとも一方の側面から外方に前記定規が突出可能としたことを特徴とする受光器の墨付け用位置指示手段。
【請求項６】
前記ハウジングに前記定規を収納するための袋を取付けたことを特徴とする請求項５記載の受光器の墨付け用位置指示手段。
【請求項７】
ハウジングとレーザー光が照射される位置を表示する複数の発光手段とを有する受光器において、前記ハウジングの側面より外方に突出するものであって直線部を有する定規を前記ハウジングの裏面に固定したことを特徴とする受光器の墨付け用位置指示手段。
【発明の詳細な説明】
【技術分野】
【０００１】
本発明は、レーザー墨出し器からのレーザー光が適正位置にある場合に墨付け位置を直線状に指示するための受光器の墨付け位置指示手段に関する。
【背景技術】
【０００２】
従来から、家屋等の建設作業の際に、壁面等にレーザー光による垂直や水平な線を投射するレーザー墨出し器が使用されている。そのレーザー墨出し器から投射される直線状のレーザー光を受光し、そのレーザー光が当たる位置の壁面等の適切な位置に墨付けを行う（目印を付ける）ためのレーザー光受光器が特許文献１に提案されている。
【０００３】
この特許文献１を図６に示す。図６に示すレーザー光を受光する受光器６０は、表側ハウジング６２と裏側ハウジング６４とを有する。表側ハウジング６２には、レーザー光を受光する受光フィルター６６と、レーザー光の位置を示すための３つの位置表示ランプ５８とを備えている。３つの位置表示ランプ６８は、受光器へのレーザー光の位置が適正位置の場合に点灯する中央の適正位置表示ランプ６８ａと、適正位置表示ランプ６８ａの上方と下方に備えられる２個の近似位置表示ランプ６８ｂとから成る。上方の近似位置表示ランプ６８ｂは、受光器６０の適正位置より上方にレーザー光が当たっている場合には、受光器６０を下方へ移動させることを示す下方向きの矢印方向形状となっている。受光器６０の適正位置より下方にレーザー光が当たっている場合には、受光器６０を上方へ移動させることを示す上方向きの矢印形状となっている。発光手段としては、ランプに限らない。ハウジング５２の表側には更に、電源スイッチ７０と印字ボタン７２とスピーカー７４とを備えている。
【０００４】
裏側ハウジング６４には、受光器６０の最適位置にレーザー光が照射している時に、所定の位置に墨付け作業（目印を入れる作業）を行うためのへこみ部７６が形成されている。例えば、壁面にレーザー光を水平な高さに当て、受光器６０を用いて壁面に多数の目印を付け、目印同士を線で連結してゆくことで、壁面に水平な高さの線を描くことができる。
【０００５】
【特許文献１】実用新案登録第３０７９６０１号
【発明の開示】
【発明が解決しようとする課題】
【０００６】
しかし、この特許文献１の受光器６０では、裏側ハウジング６４にへこみ部７６を設けているので、へこみ部７６を利用して付けられる目印は、ほぼ点に近いものとなっていた。即ち、このへこみ部７６を利用しては、長い直線を描くことができないものであった。このため、目印同士を連結する際に、眩しい太陽光の下や暗い場所では、目印としての点をなかなか見付け難く、目印同士を線で連結する作業に時間がかかるという不具合があった。また、長い目印を付けることができないため、位置精度が高い墨付けを行うことができないおそれがあった。
【０００７】
本発明は、目印を長い直線状とすることを可能とし、目印同士を線で連結する作業を容易にすると共に、位置精度の高い墨付けを行えるようにした受光器の墨付け位置指示手段を提供することを目的とするものである。
【課題を解決するための手段】
【０００８】
本発明に係る受光器の墨付け位置指示手段は、ハウジングとレーザー光が照射される位置を表示する複数の発光手段とを有する受光器において、直線部を有する定規を前記ハウジングの裏面に摺動自在に取付け、前記定規を前記ハウジングの側面より外方に突出可能としたことを特徴とするものである。本発明は、前記ハウジングの裏面に前記定規を２個取り付け、１個の前記定規がハウジングの一方の側面から外方に突出可能とし、もう１個の前記定規がハウジングの他方の側面から外方に突出可能としたことを特徴とするものである。本発明は、前記ハウジングの裏面に前記定規を１個取り付け、前記１個の定規がハウジングのどちらの側面からも外方に突出可能としたことを特徴とするものである。本発明は、前記ハウジングと前記定規とに、前記ハウジングに対する前記定規の摺動移動長さを規制するためのストッパを有することを特徴とするものである。本発明は、ハウジングとレーザー光が照射される位置を表示する複数の発光手段とを有する受光器において、前記ハウジングの裏面に両方の側面に至る貫通溝を形成し、前記貫通溝に着脱自在に嵌合するものであって前記ハウジングとは別体の定規を備え、前記貫通溝に前記定規を嵌合させた状態で前記ハウジングの少なくとも一方の側面から外方に前記定規が突出可能としたことを特徴とするものである。本発明は、前記ハウジングに前記定規を収納するための袋を取付けたことを特徴とするものである。本発明は、ハウジングとレーザー光が照射される位置を表示する複数の発光手段とを有する受光器において、前記ハウジングの側面より外方に突出するものであって直線部を有する定規を前記ハウジングの裏面に固定したことを特徴とするものである。
【発明の効果】
【０００９】
本発明は、墨付け作業を行う際に、後側ハウジングの側面から外方に直線部を有する定規を突出させるようにしたものである。これによって、レーザー光が最適位置に照射した場合に、定規の直線部に沿って壁面等に長い線として目印を付けることができる。よって、目印同士を線で連結する作業を行う場合には、眩しい太陽光の下や暗い場所においても、目印としての長い線を容易にさがすことができ、目印同士の連結作業を容易に行うことができる。
【発明を実施するための最良の形態】
【００１０】
本発明は、墨付け作業時に定規をハウジングの側面から外方に突出させて、その定規に沿って目印としての長い線を引くことができるようにするものである。
【実施例１】
【００１１】
次に、本発明を図面に基づいて説明する。図１は本発明に係る受光器の墨付け位置指示手段を備える受光器の斜視図、図２は図１に示す受光器の背面図である。受光器１０は、表側ハウジング１２と裏側ハウジング１４とを有する。表側ハウジング１２には、レーザー光を受光する受光フィルター１６と、レーザー光の適正位置を示すための適正位置表示ランプ（発光手段）１８と、その適正位置表示ランプ１８の上下に備えられる複数の近似位置表示ランプ２０と、電源スイッチ２２とを備えている。
【００１２】
裏側ハウジング１４の裏面２４には、中央付近から側面２６まで至る溝２８が、水平方向に２箇所形成されている。各溝２８には、上部に直線部３０を有する定規３２が摺動自在に取付けられている。定規３２の中央位置には、摺動方向に沿った長穴３４が形成されている。裏側ハウジング１４には、定規３２の長穴３４と嵌合するピン３６（点線図示）が固定される。長穴３４の両端がピン３６と接触する距離だけ、定規３２が裏側ハウジング１４に対して移動することができる。なお、定規３２の長穴３４と裏側ハウジング１４に固定したピン３６とが、定規３２の移動距離を規制し、その移動方向の両端で移動を制限するストッパとして機能する。
【００１３】
２個の各定規３２は、溝２８に対する一方の移動位置（外側に向けて移動した場合）においては定規３２が裏側ハウジング１４の側面２６より外方に充分突出し、溝２８に対する他方の移動位置（内側に向けて移動した場合）においては、定規３２は裏側ハウジング１４の側面２６より外方に突出しないように設定する。なお、定規３２の裏面（図２で見える面）は、裏側ハウジング１４の裏面２４と同一の面位置か、またはへこんだ位置に設定する。
【００１４】
この受光器１０において、墨付け作業を行わない場合には、２個の定規３２は裏側ハウジング１４の側面２６より外方に突出しない位置に配置する。即ち、図２の左側の定規３２の位置に配置する。図２の右側の定規３２も左側のものと合わせた位置に配置する。これによって、墨付け作業を行わない場合に、定規３２が側面２６より外方に飛び出さないので、定規３２が折れる等の損傷が発生することはない。墨付け作業を行う場合には、２個の定規３２は裏側ハウジング１４の側面２６より外方に突出する位置に配置する。即ち、図２の右側の定規３２の位置に配置する。図２の左側の定規３２も右側のものと合わせた位置に配置する。なお、左右の片側の定規３２だけを使用する場合には、どちらか片側の定規３２を裏側ハウジング１４の側面２６より外方に突出させる。
【００１５】
墨付け作業を行う場合には、図１に示すように、裏側ハウジング１４の側面２６より外方に突出した定規３２の直線部３０に沿って、例えば筆記具等の墨付け手段３８を用いて、壁等に直線状の墨付け作業（目印を付ける作業）を行う。壁等に多数の直線状の墨付けを行った後、多数の直線状の墨付け位置を連結する作業を行う。本発明では、墨付けによる目印が長い直線であるので、眩しい太陽光の下や暗い場所に墨付けを行ったとしても、各目印は長い線で示してあるので、各目印を容易に認識して、目印同士を線で連結する作業を容易に行うことができる。その結果、目印の位置精度が高い墨付けが可能となる。
【実施例２】
【００１６】
次に、本発明の他の実施例を図３に基づいて説明する。実施例１では、２個の定規３２を使用したが、この実施例２では１個の定規を使用する。図３において、図１及び図２と同一符号は同一部材を示す。この実施例２では、裏側ハウジング１４の裏面２４には、両側の側面２６まで至る１個の貫通溝４０が水平方向に形成されている。この裏側ハウジング１４の裏面２４の中央には前記貫通溝４０の中央部と連絡する貫通溝４０と平行な連絡溝４２が形成されている。連絡溝４２の長さは、裏面２４の横幅の１／３から1／２程度が望ましい。貫通溝４０には、上部に直線部４４を有する定規４６が摺動自在に取付けられている。連絡溝４２の内部には、操作ノブ４８が備えられており、その操作ノブ４８は定規４６における中央箇所に固定されている。操作ノブ４８を連絡溝４２内で水平方向に移動させることによって、定規４６は貫通溝４０に沿って水平方向に移動する。
【００１７】
連絡溝４２の内部における操作ノブ４８の一方の移動端において、定規４６の一端が裏側ハウジング１４の一方の側面２６より外方に充分突出し、操作ノブ４８の他方の移動端においても定規４６の他端は裏側ハウジング１４の他方の側面２６より外方に充分突出するように設定する。一方、操作ノブ４８が連絡溝４２の中央に位置した場合に、定規４６の両端が裏側ハウジング１４の両方の側面２６より外方に突出することがないように設定する。なお、操作ノブ４８が連絡溝４２の両端に接触する範囲が定規４６の移動範囲となることから、操作ノブ４８と連絡溝４２とが、定規４６の移動範囲のストッパとなる。定規４６の裏面（図３で見える面）と操作ノブ４８の先端は、裏側ハウジング１４の裏面２４と同一の面位置か、またはへこんだ位置に設定する。
【００１８】
この受光器１０において、墨付け作業を行わない場合には、操作ノブ４８を連絡溝４２の中央に位置させる。これによって、定規４６の両端が裏側ハウジング１４の両方の側面２６より外方に突出することがなく、墨付け作業を行わない場合に定規４６が損傷することはない。一方、墨付け作業を行う場合には、操作ノブ４８を連絡溝４２のどちらか一方の端まで移動する。これによって、定規４６のどちらか一端が裏側ハウジング１４のどちらか一方の側面２６より外方に突出する。裏側ハウジング１４の側面２６より外方に突出した定規４６の直線部４４に沿って、墨付け手段を用いて、壁等に直線状の墨付け作業を行うことができる。この実施例２においても、目印を長い直線とすることができる。この結果、各目印を容易に認識して目印同士を線で連結する作業を容易に行うことができ、目印の位置精度が高い墨付けを行うことができる。
【実施例３】
【００１９】
次に、本発明の他の実施例を図４に基づいて説明する。図４において、図１及び図２と同一符号は同一部材を示す。この実施例３では、受光器１０の裏側ハウジング１４の裏面２４に、両側の側面２６まで至る１個の貫通溝５０を水平方向に形成する。この実施例３では、貫通溝５０に嵌合するものであって直線部５２を有する定規５４を受光器１０とは別に備える。定規５４は貫通溝５０に丁度嵌合する寸法や形状に設定する。受光器１０におけるハウジング１２，１４の側面には、定規５４を収納する収納袋５６を取付ける。
【００２０】
この実施例３では、墨入れ作業を行う際に、定規５４を貫通溝５０に嵌合させ、かつその嵌合位置を移動させることによって、定規５４の一端を裏側ハウジング１４の一方の側面２６より外方に充分突出させたり、定規４６の他端を裏側ハウジング１４の他方の側面２６より外方に充分突出させたりすることができる。これによって、裏側ハウジング１４の側面２６より外方に突出した定規４６の直線部４４に沿って、墨付け手段を用いて壁等に直線状の目印を付けることができる。この実施連３においても、目印を長い直線とすることができる。この結果、各目印を容易に認識して目印同士を線で連結する作業を容易に行うことができ、目印の位置精度が高い墨付けを行うことができる。この実施例３では、墨入れ作業を行わない場合には、定規５４を貫通溝５０から取り出して、収納袋５６内に収納すればよい。
【実施例４】
【００２１】
次に、本発明の他の実施例を図５に基づいて説明する。図５において、図１及び図２と同一符号は同一部材を示す。この実施例４では、受光器１０の裏側ハウジング１４の裏面２４に、両側の側面２６から外方に突出可能なものであって、直線部５８を有する定規５９を固定する。この実施例４では、定規５９の両端が裏側ハウジング１４の側面２６から外方に突出しているので、墨付け手段を用いて壁等に直線状の墨付け作業を行うことができる。この実施連４においても、目印を長い直線とすることができる。
【図面の簡単な説明】
【００２２】
【図１】本発明に係る受光器の墨付け位置指示手段を備える受光器の斜視図である。
【図２】図１の背面図である。
【図３】本発明に係る受光器の墨付け位置指示手段の他の実施例を示す斜視図である。
【図４】本発明に係る受光器の墨付け位置指示手段の他の実施例を示す斜視図である。
【図５】本発明に係る受光器の墨付け位置指示手段の他の実施例を示す背面図である。
【図６】従来既知のレーザー光受光印字装置の斜視図である。
【符号の説明】
【００２３】
１０  受光器
１２  表側ハウジング
１４  裏側ハウジング
１８  適正位置表示ランプ
２０  近似位置表示ランプ
２４  裏面
２６  側面
２８  溝
３０  直線部
３２  定規
３４  長穴
３６  ピン
４０  貫通溝
４２  連絡溝
４４  直線部
４６  定規
４８  操作ノブ
５０  貫通溝
５２  直線部
５４  定規
５６  収納袋
５８  直線部
５９  定規
【図１】
2007278782.tif 000003
【図２】
2007278782.tif 000004
【図３】
2007278782.tif 000005
【図４】
2007278782.tif 000006
【図５】
2007278782.tif 000007
【図６】
2007278782.tif 000008